(57)【要約】      （修正有）【課題】画仙紙に適用でき、且つ手軽に製造可能な構造の書道用下敷きを提供する。【解決手段】書道用下敷き１０は、横寸法Ｗが２尺（６０．６ｃｍ）で、縦寸法Ｌが６尺（１８１．８ｃｍ）又は８尺（２４２．４ｃｍ）の大きさのフェルト地１１と、このフェルト地のおもて面に筋状に貼り付けられた罫線テープ１２とからなる。罫線テープ１２は、ポリエステル地に金色の金属粒子を蒸着したものである。【選択図】図１
0003158635.tif 000002
【実用新案登録請求の範囲】
【請求項１】
画仙紙に筆で文字を書く際に用いる書道用下敷きであって、
この下敷きは、横寸法が２尺で、縦寸法が６尺又は８尺の大きさのフェルト地と、このフェルト地のおもて面に筋状に貼り付けられた罫線テープとからなり、
この罫線テープは、厚さが４０〜６０μｍで、幅が３〜６ｍｍで、長さが６尺又は８尺のポリエステル地と、このポリエステル地のおもて面に蒸着されている金色の金属粒子と、前記ポリエステル地の裏面に付された接着剤と、からなることを特徴とする書道用下敷き。
【請求項２】
書道用紙に筆で文字を書く際に用いる書道用下敷きであって、
この下敷きは、前記書道用紙より一回り大きな縦横寸法のフェルト地と、このフェルト地のおもて面に筋状に貼り付けられた罫線テープとからなり、
この罫線テープは、厚さが４０〜６０μｍで、幅が３〜６ｍｍのポリエステル地と、このポリエステル地のおもて面に蒸着されている金色の金属粒子と、前記ポリエステル地の裏面に付された接着剤と、からなることを特徴とする書道用下敷き。
【考案の詳細な説明】
【技術分野】
【０００１】
本考案は、画仙紙に筆で文字を書く際に用いる書道用下敷きに関する。
【背景技術】
【０００２】
書道用下敷きとして罫線を付したものが提案されている（例えば、特許文献１（請求項２）参照。）。
【０００３】
特許文献１の請求項２に「下敷きには、フェルト、厚地木綿、不織布等の色付地を使用し、これら表面の必要位置に、適宜太さの、アルミ箔、錫箔、銀箔等を接着し、或いは前記の金属を混合したインクによって印刷した事を特徴とする、請求項１の下敷きの罫線又は枠。」の説明がある。
【０００４】
アルミ、錫、銀などの金属からなる罫線は光沢に富むため、書道用紙を透かして罫線が鮮明に見えて使い勝手が良いという効果を奏する。
ところで、箔は、金属塊を圧延し、極力薄くした極薄膜である。箔の代表例である、市販のアルミ箔は、厚さが１２μｍ（例えば日本製箔（社）製アルミホイル）とされている。
【０００５】
このようなアルミ箔は、一度皺（しわ）がよると、引っ張っても折り筋が残る。そこで、慎重にテンションを掛けながら貼り付け作業を行う必要がある。そのためには、専用の機械が必要となる。すなわち、適宜太さの、アルミ箔、錫箔、銀箔等を接着するには、専用の接着機械が必要となる。
【０００６】
また、アルミ、錫、銀などの金属を混合したインクを印刷するには、印刷機械が必要となる。
何れにしても、特許文献１に記載されている下敷きを製造するには、専用の接着機械又は印刷機械が必要となる。
【０００７】
ところで、２×６尺や２×８尺と呼称される、半切りサイズの画仙紙は、書道家や本格的な書道の勉強家が愛用する程度で、需要はそれ程多くない。このような画仙紙に供する下敷きを、専用の接着機械又は印刷機械で製造すれば、機械の償却費を載せる必要上、下敷きの製造コストが高騰する。このことが、書道人口の増加を妨げる一因となっているとも言える。
【０００８】
そこで、手軽に製造可能な構造の書道用下敷きが求められる。
【先行技術文献】
【特許文献】
【０００９】
【特許文献１】実開平６−６７０９１号公報
【考案の概要】
【考案が解決しようとする課題】
【００１０】
本考案は、画仙紙に適用でき、且つ手軽に製造可能な構造の書道用下敷きを提供することを課題とする。
【課題を解決するための手段】
【００１１】
請求項１に係る考案は、画仙紙に筆で文字を書く際に用いる書道用下敷きであって、
この下敷きは、横寸法が２尺で、縦寸法が６尺又は８尺の大きさのフェルト地と、このフェルト地のおもて面に筋状に貼り付けられた罫線テープとからなり、
この罫線テープは、厚さが４０〜６０μｍで、幅が３〜６ｍｍで、長さが６尺又は８尺のポリエステル地と、このポリエステル地のおもて面に蒸着されている金色の金属粒子と、前記ポリエステル地の裏面に付された接着剤と、からなることを特徴とする。
【００１２】
請求項２に係る考案は、書道用紙に筆で文字を書く際に用いる書道用下敷きであって、
この下敷きは、前記書道用紙より一回り大きな縦横寸法のフェルト地と、このフェルト地のおもて面に筋状に貼り付けられた罫線テープとからなり、
この罫線テープは、厚さが４０〜６０μｍで、幅が３〜６ｍｍのポリエステル地と、このポリエステル地のおもて面に蒸着されている金色の金属粒子と、前記ポリエステル地の裏面に付された接着剤と、からなることを特徴とする。
【考案の効果】
【００１３】
請求項１に係る考案では、罫線の要部を、厚さが４０〜６０μｍで、幅が３〜６ｍｍで、長さが６尺又は８尺のポリエステル地とした。厚さが４０〜６０μｍのポリエステルは、いわゆる腰が強く、取扱いが容易である。すなわち、素人でも手で罫線テープをフェルト地に貼り付けることができる。厚さが４０〜６０μｍのポリエステルは、皺がよる心配はない。
したがって、本考案によれば、画仙紙に適用でき、且つ手軽に製造可能な構造の書道用下敷きが提供される。
【００１４】
ポリエステルに蒸着された金色の金属粒子は、黄色みを帯びた光を発する。
フェルト地の色は、一般に濃紺又は黒である。黄色は、濃紺又は黒との明度差により、強い印象を眼に与える。透光が白い画仙紙で弱められても、黄色の光であれば、罫線の存在が書道の勉強家らにより強く印象づけられる。
【００１５】
請求項２に係る考案では、罫線の要部を、厚さが４０〜６０μｍで、幅が３〜６ｍｍのポリエステル地とした。厚さが４０〜６０μｍのポリエステルは、いわゆる腰が強く、取扱いが容易である。すなわち、素人でも手で罫線テープをフェルト地に貼り付けることができる。厚さが４０〜６０μｍのポリエステルは、皺がよる心配はない。
したがって、本考案によれば、書道用紙に適用でき、且つ手軽に製造可能な構造の書道用下敷きが提供される。
【００１６】
ポリエステルに蒸着された金色の金属粒子は、黄色みを帯びた光を発する。黄色は他の色よりも強い印象を眼に与える。透光が画仙紙で弱められても、黄色の光であれば、罫線の存在が書道の勉強家らにより強く印象づけられる。
【図面の簡単な説明】
【００１７】
【図１】本考案に係る書道用下敷きの正面図である。
【図２】書道用下敷きの造り方を説明するである。
【図３】罫線テープの断面図である。
【図４】書道用下敷きの使用例を説明する図である。
【図５】罫線テープの作用を説明する図である。
【考案を実施するための形態】
【００１８】
本考案の実施の形態を添付図に基づいて以下に説明する。
【実施例】
【００１９】
本考案の実施例を図面に基づいて説明する。
図１に示されるように、書道用下敷き１０は、横寸法Ｗが２尺（６０．６ｃｍ）で、縦寸法Ｌが６尺（１８１．８ｃｍ）又は８尺（２４２．４ｃｍ）の大きさで濃紺色又は黒色のフェルト地１１と、このフェルト１１地のおもて面に筋状（この例では６条）に貼り付けられた罫線テープ１２とからなる。
【００２０】
このような構造の書道用下敷き１０の造り方を、次に説明する。
図２に示すように、フェルト地１１を床（又は台板）１３上に載せ、文鎮１４で固定する。文鎮１４は、画鋲やクリップであっても良く、要は、作業中にフェルト地１１がずれなければ手段は任意である。
次に、フェルト地１１上に糸１５を渡し、２個のピン１５、１５で仮止めする。
【００２１】
次に、罫線テープ１２を伸ばす。
罫線テープ１２は、図３に示すように、厚さｔが４０〜６０μｍで、幅ｗが３〜６ｍｍのポリエステル地１７と、このポリエステル地１７のおもて面に蒸着した金色の金属粒子層１８と、ポリエステル地１７の裏面に付した接着剤層１９とからなる。なお、金属粒子層１８は、薄膜であるため、罫線テープ１２の総厚さも４０〜６０μｍである。
【００２２】
罫線テープ１２は、市販の装飾用テープ（例えば、（株）ニチバン製、品番６０２、金色、テープ長さ３０ｍｍ、テープ幅１２ｍｍ）を使用することができる。
テープ幅が１２ｍｍの場合には、薄刃カッタで、２〜４条に切断する。具体的には、紙芯に多重巻きされたテープの状態で、おもてから薄刃カッタを紙芯に到達するまで、切り込む。その後に巻き戻す。巻き戻された罫線テープ１２を、図２に示す。
【００２３】
図２で、罫線テープ１２を糸１５に沿って、フェルト地１１に貼り付ける。罫線テープ１２は、糸１５に被せても良い。糸１５がガイドになって、罫線テープ１２を一直線に貼ることができる。罫線テープ１２は、ポリエステル地が芯材の役割を果たし、十分に腰が強い。そのため、作業中に、罫線テープ１２に皺がよることはなく、作業は容易になる。
貼り終えたら、糸１５を引き抜く。以上の手順を繰り返すことで、複数条の形成テープ１２を貼る。結果、図１の形態の書道用下敷き１０を得ることができる。
【００２４】
書道用下敷き１０の使用方法を次に説明する。
図４に示すように、２尺×６尺の書道用下敷き１０に、２×６サイズ（５３ｃｍ×１７５ｃｍ）の画仙紙２１を載せ、文鎮１４で抑える。なお、画仙紙２１での２尺は５３ｃｍであるため、２尺（６０．６ｃｍ）幅の書道用下敷き１０に収まる。６尺、８尺についても同様。
【００２５】
図５に示すように、罫線テープ１２に画仙紙２１が載っている。
このときに、罫線テープ１２のおもて面に蒸着されている金色の金属粒子層１８から強い反射光２２が放射される。この反射光２２が画仙紙２１を通過して上方に放射されるため、図４において、罫線テープ１２の存在を、視認できる。
書道家らは、はっきり見える２本の罫線テープ１２、１２の間に、文字２３を書くことができる。
【００２６】
本考案者が試したところ、金属粒子層１８は、銀色より金色が優れていた。その理由は次の通りである。
銀箔、アルミ箔、錫箔は、反射光が銀色である。画仙紙２１は白色である。銀色と白色は共に無彩色であり、色に差が出にくい。
この点、金色の金属粒子層１８から放射される反射光は、黄色である。画仙紙２１が無彩色であるところに、有彩色の反射光が通過するため、色に差がでる。更には、有彩色中で、黄色は、濃紺又は黒との明度差により、強い印象を眼に与える。透光が白い画仙紙で弱められても、黄色の光であれば、罫線の存在が書道の勉強家らにより強く印象づけられる。
【００２７】
ところで、画仙紙２１から滲み出た墨が罫線テープ１２に付着することがある。罫線テープ１２の金属粒子層１８は平滑面であるため、濡れティッシュや雑巾で拭くだけで、墨を落とすことができる。常に強い反射光２２を放射させることができる。
【００２８】
以上、２×６サイズ又は２×８サイズの画仙紙に好適な書道用下敷きを説明したが、その他のサイズの書道用紙に好適な下敷きをも提供することができる。
すなわち、図４において、画仙紙２１が、半紙などの２×６サイズ又は２×８サイズと異なるサイズの書道用紙である場合は、この書道用紙の縦横寸法より１サイズ大きな縦横寸法の書道用下敷き１０Ｂを準備すればよい。書道用下敷き１０Ｂは、縦横寸法以外は書道用下敷き１０と同じ構成であるため、詳細な説明は省略する。
【産業上の利用可能性】
【００２９】
本考案の下敷きは、２×６サイズ又は２×８サイズの画仙紙に好適である。
【符号の説明】
【００３０】
１０…２×６サイズ又は２×８サイズの画仙紙に好適な書道用下敷き、１０Ｂ…２×６サイズ又は２×８サイズ以外の書道用紙に好適な書道用下敷き、１１…フェルト地、１２…罫線テープ、１７…ポリエステル地、１８…金属粒子層、１９…接着剤層、２１…画仙紙、２３…文字、Ｗ…フェルト地の横寸法、Ｌ…フェルト地の縦横寸法、ｔ…罫線テープの厚さ、ｗ…罫線テープの幅。
【図１】
0003158635.tif 000003
【図２】
0003158635.tif 000004
【図３】
0003158635.tif 000005
【図４】
0003158635.tif 000006
【図５】
0003158635.tif 000007